【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】
成分（Ｉ）、（ＩＩ）及び（ＩＩＩ）を含む安定剤混合物であって、
成分（Ｉ）は、式（Ｂ−１）、（Ｂ−２）、（Ｂ−４）、（Ｂ−５）、（Ｂ−７）、（Ｂ−８）、（Ｂ−９）または（Ｂ−１０）で表される化合物であり、
成分（ＩＩ）は、式（Ｂ−０）、（Ｂ−３）または（Ｂ−６）表される化合物であり、及び
成分（ＩＩＩ）は、式（Ｃ−１）、（Ｃ−２）、（Ｃ−３）、（Ｃ−４）または（Ｃ−５）で表される化合物か、または生成物（Ｃ−６）であり、
式（Ｂ−０）は
【化１】
2004002808.tif 000001
（式中、Ｅ1*はＥ1の意味の１つを有し、及び
Ｅ2*は炭素原子数１ないし２５のアルキル基を表す。）であり；
式（Ｂ−１）は
【化２】
2004002808.tif 000002
〔式中、Ｅ1は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフ
ェニルアルキル基を表すか又は炭素原子数１ないし８のアシル基を表し、
ｍ1は、２又は４を表し、
もしもｍ1が２の場合、Ｅ2は炭素原子数１ないし１４のアルキレン基又は式（ｂ−１）
【化３】
2004002808.tif 000003
（式中、Ｅ3は炭素原子数１ないし１０のアルキル基又は炭素原子数２ないし１０のアル
ケニル基を表し、Ｅ4は炭素原子数１ないし１０のアルキレン基を表し、そしてＥ5及びＥ6は、互いに独立して、炭素原子数１ないし４のアルキル基、シクロへキシル基、又はメ
チルシクロヘキシル基を表す。）の基を表し、及び
もしもｍ1が４の場合、Ｅ2は炭素原子数４ないし１０のアルカンテトライル基を表す。〕であり；
式（Ｂ−２）は
【化４】
2004002808.tif 000004
〔式中、基Ｅ7の２つは−ＣＯＯ−（炭素原子数１ないし２０のアルキル基）を表し、又
基Ｅ7の２つは式（ｂ−ＩＩ）
【化５】
2004002808.tif 000005
（式中、Ｅ8は前記Ｅ1の意味の１つを有する。）
の基を表す。〕であり；
式（Ｂ−３）は
【化６】
2004002808.tif 000006
（式中、Ｅ9及びＥ10は、一緒になって、炭素原子数２ないし１４のアルキレン基を形成
し、
Ｅ11は、水素原子又は基−Ｚ1−ＣＯＯ−Ｚ2を表し、
Ｚ1は、炭素原子数２ないし１４のアルキレン基を表し、
Ｚ2は、炭素原子数１ないし２４のアルキル基を表し、及び
Ｅ12は、前記Ｅ1の意味の１つを有する。）であり；
式（Ｂ−４）は
【化７】
2004002808.tif 000007
（式中、基Ｅ13は、互いに独立して、前記Ｅ1の意味の１つを有し、
基Ｅ14は、互いに独立して、水素原子又は炭素原子数１ないし１２のアルキル基を表し、及び
Ｅ15は、炭素原子数１ないし１０のアルキレン基又は炭素原子数３ないし１０のアルキリデン基を表す。）であり；
式（Ｂ−５）は
【化８】
2004002808.tif 000008
（式中、基Ｅ16は、互いに独立して、前記Ｅ1の意味の１つを有する。）
であり；
式（Ｂ−６）は
【化９】
2004002808.tif 000009
（式中、Ｅ17は、炭素原子数１ないし２４のアルキル基を表し、及び
Ｅ18は、前記Ｅ1の意味の１つを有する。）であり；
式（Ｂ−７）は
【化１０】
2004002808.tif 000010
〔式中、Ｅ19、Ｅ20及びＥ21は、互いに独立して、式（ｂ−ＩＩＩ）
【化１１】
2004002808.tif 000011
（式中、Ｅ22は、前記Ｅ1の意味の１つを有する。）の基を表す。〕
であり；
式（Ｂ−８）は
【化１２】
2004002808.tif 000012
（式中、基Ｅ23は、互いに独立して、前記Ｅ1の意味の１つを有し、
及び基Ｅ24は、水素原子、炭素原子数１ないし１２のアルキル基又は、炭素原子数１ないし１２のアルコキシ基を表す）であり；
式（Ｂ−９）は
【化１３】
2004002808.tif 000013
〔式中、ｍ2は、１、２又は３を表し、
Ｅ25は、前記Ｅ１の意味の１つを有し、及び
ｍ2が１の場合は、Ｅ26は基
【化１４】
2004002808.tif 000014
を表し、
ｍ2が２の場合は、Ｅ26は炭素原子数２ないし２２のアルキレン基を表し、又
ｍ2が３の場合は、Ｅ26は式（ｂ−ＩＶ）
【化１５】
2004002808.tif 000015
（式中、基Ｅ27は、互いに独立して、炭素原子数２ないし１２のアルキレン基を表し、及び
基Ｅ28は、互いに独立して、炭素原子数１ないし１２のアルキル基、又は炭素原子数５ないし１２のシクロアルキル基を表す。）の基を表す。〕であり；
式（Ｂ−１０）は
【化１６】
2004002808.tif 000016
［式中、基Ｅ29は、互いに独立して、前記Ｅ1の意味の１つを有し、及び
Ｅ30は、炭素原子数２ないし２２のアルキレン基、炭素原子数５ないし７のシクロアルキレン基、炭素原子数１ないし４のアルキレンジ（炭素原子数５ないし７のシクロアルキレン）基、フェニレン基又はフェニレンジ（炭素原子数１ないし４のアルキレン）基を表す。］であり；
式（Ｃ−１）は
【化１７】
2004002808.tif 000017
［式中、Ｒ1、Ｒ3、Ｒ4及びＲ5は、互いに独立して、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基によって置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は式（ｃ−Ｉ）
【化１８】
2004002808.tif 000018
の基を表し、
Ｒ2は、炭素原子数２ないし１８のアルキレン基、炭素原子数５ないし７のシクロアルキ
レン基、又は炭素原子数１ないし４のアルキレンジ（炭素原子数５ないし７のシクロアルキレン）基を表すか、又は
基Ｒ1、Ｒ2及びＲ3が、それらが結合する窒素原子と一緒になって、５−ないし１０−員
複素環式環を形成するか、又は
Ｒ4及びＲ5が、それらが結合する窒素原子と一緒になって、５−ないし１０−員複素環式環を形成し、
Ｒ6は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表し、及び
ｂ1は、２ないし５０の数を表すが、
但し、基Ｒ1、Ｒ3、Ｒ4及びＲ5の少なくとも１つは、式（ｃ−Ｉ）の基を表す。］であり
；
式（Ｃ−２）は
【化１９】
2004002808.tif 000019
〔式中、Ｒ7及びＲ11は、互いに独立して水素原子、又は炭素原子数１ないし１２のアル
キル基を表し、
Ｒ8、Ｒ9及びＲ10は、互いに独立して、炭素原子数２ないし１０のアルキレン基を表し、及び
Ｘ1、Ｘ2、Ｘ3、Ｘ4、Ｘ5、Ｘ6、Ｘ7、及びＸ8は、互いに独立して、式（ｃ−ＩＩ）
【化２０】
2004002808.tif 000020
（式中、Ｒ12は、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基により置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は
上記で定義された式（ｃ−Ｉ）の基を表し、及び
Ｒ13は、前記Ｒ6の意味の１つを有する。）を表す。〕であり；
式（Ｃ−３）は
【化２１】
2004002808.tif 000021
（式中、Ｒ14は、炭素原子数１ないし１０のアルキル基、炭素原子数５ないし１２のシクロアルキル基、炭素原子数１ないし４のアルキル基により置換された炭素原子数５ないし１２のシクロアルキル基、フェニル基、又は炭素原子数１ないし１０のアルキル基により置換されたフェニル基を表し、
Ｒ15は、炭素原子数３ないし１０のアルキレン基を表し、
Ｒ16は、前記Ｒ6の意味の１つを有し、及び
ｂ2は、２ないし５０の数を表す。）
であり；
式（Ｃ−４）は
【化２２】
2004002808.tif 000022
〔式中、Ｒ17及びＲ21は、互いに独立して、直接結合、又は−Ｎ（Ｘ9）−ＣＯ−Ｘ10−
ＣＯ−Ｎ（Ｘ11）−基（式中、Ｘ9及びＸ11は、互いに独立して、水素原子、炭素原子数
１ないし８のアルキル基、炭素原子数５ないし１２のシクロアルキル基、フェニル基、炭素原子数７ないし９のフェニルアルキル基、又は式（ｃ−Ｉ）の基を表し、
Ｘ10は、直接結合、又は炭素原子数１ないし４のアルキレン基を表す。）を表し、Ｒ18は、前記Ｒ6の意味の１つを有し、
Ｒ19、Ｒ20、Ｒ23及びＲ24は、互いに独立して、水素原子、炭素原子数１ないし３０のアルキル基、炭素原子数５ないし１２のシクロアルキル基、又はフェニル基を表し、
Ｒ22は、水素原子、炭素原子数１ないし３０のアルキル基、炭素原子数５ないし１２のシクロアルキル基、フェニル基、炭素原子数７ないし９のフェニルアルキル基、又は式（ｃ−Ｉ）の基を表し、及び
ｂ3は１ないし５０の数を表す。〕であり；
式（Ｃ−５）は
【化２３】
2004002808.tif 000023
〔式中、Ｒ25、Ｒ26、Ｒ27、Ｒ28及びＲ29は、互いに独立して、直接結合、又は、炭素原子数１ないし１０のアルキレン基を表し、
Ｒ30は、前記Ｒ6の意味の１つを有し、及び
ｂ4は１ないし５０の数を表す。〕であり；生成物（Ｃ−６）は
塩化シアヌルと式（Ｃ−６−１）
【化２４】
2004002808.tif 000024
（式中、ｂ'5、ｂ''5及びｂ'''5は、互いに独立して２ないし１２の数を表す。）で表さ
れるポリアミンの反応によって得られる生成物を、式（Ｃ−６―２）
【化２５】
2004002808.tif 000025
（式中、Ｒ31は、水素原子、炭素原子数１ないし１２のアルキル基、炭素原子数５ないし１２のシクロアルキル基、フェニル基、又は炭素原子数７ないし９のフェニルアルキル基を表し、及びＲ32は、前記Ｒ6の意味の１つを有する。）で表される化合物と反応させる
ことによって得られ得る生成物である安定剤混合物。
【請求項２】
成分（Ｉ）が式（Ｂ−１−ｂ）、（Ｂ−１−ｃ）、（Ｂ−１−ｄ）、（Ｂ−２−ａ）、（Ｂ−４−ａ）、（Ｂ−４−ｂ）、（Ｂ−５）、（Ｂ−７）、（Ｂ−８−ａ）、（Ｂ−９−ａ）、（Ｂ−９−ｂ）、（Ｂ−９−ｃ）又は（Ｂ−１０−ａ）で表される化合物：
成分（ＩＩ）が式（Ｂ−０−ａ）、（Ｂ−３−ａ）、（Ｂ−３−ｂ）又は（Ｂ−６−ａ）で表される化合物：及び
成分（ＩＩＩ）が式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）又は（Ｃ−５−ａ）で表される化合物、または生成物（Ｃ−６−ａ）であり：
上記化合物は、
【化２６】
2004002808.tif 000026
（上記各式中、Ｅ1及びＥ1*は、水素原子、炭素原子数１ないし８のアルキル基、Ｏ・、
−ＯＨ、−ＣＨ2ＣＮ、炭素原子数１ないし１８のアルコキシ基、炭素原子数５ないし１
２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化２７】
2004002808.tif 000027
（式中、基Ｅ7の２つは、−ＣＯＯ−Ｃ13Ｈ27を表し、及び
基Ｅ7の２つは、
【化２８】
2004002808.tif 000028
を表し、及びＥ8は、前記Ｅ1の意味の１つを有する。）；
【化２９】
2004002808.tif 000029
（上記各式中、Ｅ12は、前記Ｅ1の意味の１つを有する。）；
【化３０】
2004002808.tif 000030
（上記各式中、Ｅ13は、前記Ｅ1の意味の１つを有する。）；
【化３１】
2004002808.tif 000031
（式中、Ｅ16は、前記Ｅ1の意味の１つを有する。）；
【化３２】
2004002808.tif 000032
（式中、Ｅ18は、前記Ｅ1の意味の１つを有する。）；
【化３３】
2004002808.tif 000033
〔式中、Ｅ19、Ｅ20及びＥ21は、互いに独立して、式（ｂ−ＩＩＩ）
【化３４】
2004002808.tif 000034
（式中、Ｅ22は、前記Ｅ1の意味の１つを有する。）の基を表す。〕；
【化３５】
2004002808.tif 000035
（式中、Ｅ23は、前記Ｅ1の意味の１つを有する。）；
【化３６】
2004002808.tif 000036
（上記各式中、Ｅ25は、前記Ｅ1の意味の１つを有する。）；
【化３７】
2004002808.tif 000037
（式中、Ｅ29は、前記Ｅ1の意味の１つを有する）；
【化３８】
2004002808.tif 000038
（上記各式中、ｂ1は、２ないし２０の数を表し、及びＲ6は、水素原子、炭素原子数１ないし８のアルキル基、Ｏ・、−ＯＨ、−ＣＨ2ＣＮ、炭素原子数１ないし１８のアルコキ
シ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化３９】
2004002808.tif 000039
（式中、Ｒ13は前記Ｒ6の意味の１つを有する。）；
【化４０】
2004002808.tif 000040
（式中、ｂ2は、２ないし２０の数を表し、及びＲ16は、前記Ｒ6の意味の１つを有する。）；
【化４１】
2004002808.tif 000041
（上記各式中、ｂ3は、１ないし２０の数を表し、及びＲ18は、前記Ｒ6の意味の１つを有する。）；又は
【化４２】
2004002808.tif 000042
（式中、ｂ4は、１ないし２０の数を表し、及びＲ30は、前記Ｒ6の意味の１つを有する。）で表される化合物であり；生成物（Ｃ−６−ａ）は、
塩化シアヌルと式（Ｃ−６−１−ａ）
【化４３】
2004002808.tif 000043
で表されるポリアミンの反応によって得られる生成物を式（Ｃ−６―２−ａ）
【化４４】
2004002808.tif 000044
（式中、Ｒ32は、前記Ｒ6の意味の１つを有する。）
で表される化合物と反応させることによって得られ得る生成物である請求項１記載の安定剤混合物。
【請求項３】
光、熱又は酸化により誘発される分解を受けやすい有機材料及び請求項１記載の安定剤混合物を含む組成物。